(57)【特許請求の範囲】
【請求項１】
加熱ヒータ（２１）を含む本体部（２０）と、
前記本体部とは別体に設けられ、前記本体部を支えるために床面に載置されるベース部（３０）と、
前記ベース部の内部に配置され、前記加熱ヒータに動作電圧を供給するための第１電装品（４５）と
を備え、
前記第１電装品は、商用電源に接続され、前記加熱ヒータに前記動作電圧を供給するための電源基板（４５）を含み、
前記ベース部の内部に配置され、前記電源基板を囲う電装品箱（４４）をさらに備え、
前記第１電装品は、前記電源基板に取り付けられかつ前記電源基板の放熱を行うために前記電装品箱の外側に露出している放熱フィン（７０）をさらに含み、
前記ベース部に取り付けられて前記本体部を支え、前記放熱フィンから放出された熱を前記ベース部から外部に導くための中空部分を持つ支柱（３２）をさらに備える、電気ストーブ。
【請求項２】
前記ベース部は、前記支柱の前記中空部分に通じる開口部（４０ｂ）と、前記開口部の周囲に形成されて前記支柱の下端部に嵌るリブ（４０ｃ）とを有する、
請求項１に記載の電気ストーブ。
【請求項３】
前記第１電装品は、前記ベース部の内部において前記開口部よりも前に配置され、
前記ベース部は、前記開口部から放射状になだらかに傾斜している上面（４０ａ）を有する、
請求項２に記載の電気ストーブ。
【請求項４】
前記支柱は、前記本体部と一緒に回動するように前記ベース部に取り付けられ、
前記ベース部の内部に配置され、前記電源基板に電気的に接続されて前記支柱を回動させるためのモータ（４７）をさらに備える、
請求項１から３のいずれか一項に記載の電気ストーブ。
【請求項５】
前記本体部は、上部に操作部（２６）を有し、
前記操作部の下方の前記本体部内部に取り付けられて前記第１電装品から制御電圧を供給され、前記操作部の操作に応じた制御を行う第２電装品（８０，８５）をさらに備える、
請求項１から４のいずれか一項に記載の電気ストーブ。
【発明の詳細な説明】
【技術分野】
【０００１】
本発明は、電気ストーブ、特に、加熱ヒータの取り付けられる本体部とは別体のベース部が設けられ、本体部が回動する電気ストーブに関する。
【背景技術】
【０００２】
従来の電気ストーブの中には、加熱ヒータの取り付けられる本体部とは別体のベース部が設けられ、本体部が回動するものがある。このように本体部が回動する電気ストーブは、例えば特許文献１（特開２０１０−８５０４１号公報）や特許文献２（特開２０１１−３３３０９号公報）に記載されている。特許文献１や特許文献２に記載されている電気ストーブは、本体部とベース部が別体で、しかも本体部が回動するために重心の移動が発生する。そのため、回動する機能を持たない電気ストーブと比べると、転倒の危険性が増す傾向があるので、ベース部を重くすることが必要になる。
【発明の概要】
【発明が解決しようとする課題】
【０００３】
しかし、電気ストーブの転倒を防止するためにベース部を重くすると、全体の重量が重くなる傾向がある。そこで、電気ストーブを軽量化するために、本体部を軽くしようとすると本体部が小さくなり、本体部の内部の部品が本体部に取り付けられている加熱ヒータで発生する熱の影響を受けやすくなる。
【０００４】
本発明の課題は、電気ストーブの本体部の加熱ヒータで発生する熱の電装品への影響を緩和するとともに電気ストーブの軽量化を図ることである。
【課題を解決するための手段】
【０００５】
本発明の第１観点に係る電気ストーブは、加熱ヒータを含む本体部と、本体部とは別体に設けられ、本体部を支えるために床面に載置されるベース部と、ベース部の内部に配置され、加熱ヒータに動作電圧を供給するための第１電装品とを備える、ものである。
【０００６】
第１観点の電気ストーブにおいては、加熱ヒータに動作電圧を供給する第１電装品が本体部とは別体のベース部の内部に取り付けられているので、第１電装品が加熱ヒータで発生する熱の影響を受けるのを防ぐことができる。また、本体部を支えるために不安定になりがちなベース部を第１電装品の重さで安定させて従来ベース部に取り付けられていた錘用の板金を削減することができる。さらに、放熱用の穴が必要な本体部に比べて放熱用の穴の少ないベース部に第１電装品が設けられることで、虫やユーザの溢した水などが第１電装品に入り難くなり虫や水などが第１電装品に入ることに起因する故障の発生が抑制される。
【０００７】
また、第１観点に係る電気ストーブは、第１電装品は、商用電源に接続され、加熱ヒータに動作電圧を供給するための電源基板を含む、ものである。そのため、電源基板を含むことで第１電装品が重くなり、ベース部材を安定させる効果が十分に得られる。
【０００８】
さらに、第１観点に係る電気ストーブは、ベース部の内部に配置され、電源基板を囲う電装品箱をさらに備える、ものである。そのため、電装品箱で電源基板を囲うことで、虫や水などがさらに入り難くなり、虫や水などが第１電装品に入ることに起因する故障の抑制効果がさらに向上する。
【０００９】
またさらに、第１観点に係る電気ストーブは、第１電装品は、電源基板に取り付けられかつ電源基板の放熱を行うために電装品箱の外側に露出している放熱フィンをさらに含み、ベース部に取り付けられて本体部を支え、放熱フィンから放出された熱をベース部から外部に導くための中空部分を持つ支柱をさらに備える、ものである。そのため、支柱の中空部分を通して電源基板の放熱ができ、放熱フィンを小型化することができる。
【００１０】
本発明の第２観点に係る電気ストーブは、第１観点の電気ストーブにおいて、ベース部は、支柱の中空部分に通じる開口部と、開口部の周囲に形成されて支柱の下端部に嵌るリブとを有する、ものである。
【００１１】
第２観点の電気ストーブにおいては、ベース部のリブが支柱の下端部に嵌ることでリブが支柱の下端部でオーバーラップされて、ベース部の外から開口部に水が侵入し難くなる。
【００１２】
本発明の第３観点に係る電気ストーブは、第２観点の電気ストーブにおいて、第１電装品は、ベース部の内部において開口部よりも前に配置され、ベース部は、開口部から放射状になだらかに傾斜している上面を有する、ものである。
【００１３】
第３観点の電気ストーブにおいては、ベース部の上面が放射状になだらかに傾斜しているので、ベース部の上に載った水玉が周囲に流れ落ち、水玉の表面張力でリブを乗り越えて開口部から侵入するのを防ぐことができる。
【００１４】
本発明の第４観点に係る電気ストーブは、第１観点から第３観点のいずれかの電気ストーブにおいて、支柱は、本体部と一緒に回動するようにベース部に取り付けられ、ベース部の内部に配置され、電源基板に電気的に接続されて支柱を回動させるためのモータをさらに備える、ものである。
【００１５】
第４観点の電気ストーブにおいては、重たい第１電装品をベース部に設けて本体部から取り除くことで、本体部を軽くして本体部を回動させるモータに掛かる負担を軽減でき、モータで発生する音を小さくできる。
【００１６】
本発明の第５観点に係る電気ストーブは、第１観点から第７観点のいずれかの電気ストーブにおいて、本体部は、上部に操作部を有し、操作部の下方の本体部内部に取り付けられて第１電装品から制御電圧を供給され、操作部の操作に応じた制御を行う第２電装品をさらに備える、ものである。
【００１７】
第５観点の電気ストーブにおいては、制御を行うための軽い第２電装品を本体部に設けることで、電気ストーブの据わりを良くしながら電気ストーブの操作性を確保することができる。
【発明の効果】
【００１８】
本発明の第１観点に係る電気ストーブでは、電気ストーブの本体部の加熱ヒータで発生する熱の電装品への影響を緩和するとともに電気ストーブの軽量化を図ることができる。また、電源基板でベース部の錘の役目を兼ねさせることで電気ストーブの軽量化を図ることができる。さらに、ベース部に配置された電源基板の故障を抑制することができる。さらにまた、放熱フィンの小型化により電気ストーブの軽量化を図ることができる。
【００１９】
本発明の第２観点に係る電気ストーブでは、リブによって水などの侵入を防いで、第１電装品の故障を抑制することができる。
【００２０】
本発明の第３観点に係る電気ストーブでは、ベース部の上面の傾斜によって水などの侵入を防いで、第１電装品の故障を抑制することができる。
【００２１】
本発明の第４観点に係る電気ストーブでは、本体部の軽量化により、モータ音を抑制して静粛化を図ることができる。
【００２２】
本発明の第５観点に係る電気ストーブでは、操作性の確保と軽量化の両立を図ることができる。
【図面の簡単な説明】
【００２３】
【図１】本発明の一実施形態に係る電気ストーブを正面側から見た斜視図。
【図２】図１に示されている電気ストーブを背面側から見た斜視図。
【図３】図１に示されている電気ストーブの正面図。
【図４】図１に示されている電気ストーブの側面図。
【図５】台座の分解斜視図。
【図６】支柱の分解斜視図。
【図７】操作部を説明するための分解斜視図。
【図８】電源系統を説明するためのブロック図。
【発明を実施するための形態】
【００２４】
以下、本発明の一実施形態に係る電気ストーブについて図を用いて説明する。図１は本発明の一実施形態に係る電気ストーブを正面側から見た斜視図であり、図２は背面側から見た斜視図である。また、図３は一実施形態に係る電気ストーブの正面図であり、図４は側面図である。
【００２５】
（１）全体構成
図１に示されている電気ストーブ１０は、本体部２０と、本体部２０とは別体に設けられているベース部３０とからなる。ベース部３０は、床面Ｇに設置される。本体部２０には、ヒータ２１と反射板２２とが設けられている。電気ストーブ１０は、首振り機能を備えており、床面Ｇに対して本体部２０が床面Ｇと平行な方向に回動して、ヒータ２１及び反射板２２から出る熱の放射方向を変化させることができる。そのために、本体部２０は、ベース部３０によって回動可能に支持されている。
【００２６】
（２）詳細構成
（２−１）ベース部３０
ベース部３０は、台座３１と支柱３２とを備えている。床面Ｇに設置される台座３１は、前後左右及び上側が台座ケーシング４０で囲われた箱形の形状を有している。台座３１の背面側には電源コード３３が取り付けられている。
【００２７】
支柱３２は、台座３１の上面４０ａから上方に延びる柱状の部材であり、その下部が回動可能に台座３１に取り付けられている。支柱３２の上部の前面側に本体部２０の背面側にあるブラケット２３が取り付けられている（図４参照）。支柱３２は、図４に示されているように、側面視において、下部に比べて上部の前面側が背面側に後退した形状を持っている。そして、支柱３２の前面側に本体部２０が取り付けられることで、支柱３２と本体部２０とを合わせた部材の重心がちょうど台座３１に位置するように構成されている。このような構成によって、電気ストーブ１０が安定して直立することが可能になっている。
【００２８】
（２−１−１）台座３１
図５は、台座の構成を示す分解斜視図である。台座３１は、台座ケーシング４０とともに、台座ケーシング４０の底部に配置される置き台４１を有している。置き台４１の背面側には、電源コード３３を取り付けるための嵌合部４１ａが設けられている。置き台４１の中央部には、嵌合部４１ａの前方に開口４１ｂが形成されており、この開口４１ｂから外部に臨んで転倒スイッチ４２が取り付けられている。この転倒スイッチ４２に電源コード３３が接続されている。台座３１が床面Ｇに設置されている状態で転倒スイッチ４２が床面Ｇに押されてオン状態になり、電源コード３３からの商用電源の供給が維持される。もし、電気ストーブ１０が転倒すると、転倒スイッチ４２が床面Ｇから離れて転倒スイッチ４２がオフ状態になるように構成されている。このように転倒スイッチ４２によって、転倒時の安全の確保が図られている。
【００２９】
置き台４１の上面には、そのほぼ全面を覆う金属板からなる回転用架台４３が取り付けられる。置き台４１の前方には、比較的広い平坦部４１ｃが形成されており、この平坦部４１ｃに回転用架台４３の前半分を占める平坦部４３ｂが嵌め込まれる。そして、この回転用架台４３の平坦部４３ｂの上に、電装品箱４４が載置される。電装品箱４４は、底部４４ｂと蓋部４４ａとに分かれている。この電装品箱４４の中には、電源用プリント配線基板４５が収納されている。電源用プリント配線基板４５には、電源コード３３が接続され、電源コード３３から転倒スイッチ４２を介して電源用プリント配線基板４５に商用電源が供給される。電装品箱４４の蓋部４４ａの上は、金属製の電装品防炎板４６で囲まれている。
【００３０】
回転用架台４３の後半分の多くは、上方に箱形に膨らんだ膨出部４３ａで占められている。回転用架台４３の膨出部４３ａの下方には、単相交流で駆動される首振り用のモータ４７がシール材４８を挟んで回転用架台４３に取り付けられている。このモータ４７への電力の供給は電源用プリント配線基板４５から行なわれる。
【００３１】
モータ４７はカムなどの取付部品４９によってフレーム取付台５１に連結され、フレーム取付台５１は、回転シャフト５０に回転自在に取り付けられている。そのため、モータ４７の回転がフレーム取付台５１に伝達される。
【００３２】
（２−１−１−１）台座ケーシング４０
台座ケーシング４０の上面４０ａには、フレーム取付台５１にフレーム６１（図６参照）を取り付けるための開口部４０ｂが形成されている。この開口部４０ｂの周囲には、環状のリブ４０ｃが形成されている。このリブ４０ｃは、支柱３２の下端部に嵌るように構成されている。支柱３２の下端部は中空になっており、支柱３２を台座３１の上に配置した状態で、支柱３２の下端部が環状のリブ４０ｃの外周に位置するように構成されている。
【００３３】
台座ケーシング４０の上面４０ａは、開口部４０ｂから放射状になだらかに傾斜している。そのため、電気ストーブ１０の使用中に誤って水などが台座３１に掛かっても、台座ケーシング４０の上面４０ａを伝って周囲に流れ落ちる。そればかりでなく、誤って水などが掛かったときに、開口部４０ｂから水が入るのを支柱３２の下端部や環状のリブ４０ｃが防いでくれる。また、支柱３２の下端部や環状のリブ４０ｃは、虫などが開口部４０ｂから台座３１の内部に侵入しようとするときに、その侵入を妨害する役目も果たす。
【００３４】
（２−１−１−２）電源用プリント配線基板４５
電源用プリント配線基板４５には、放熱フィン７０が取り付けられている。電装品箱４４の蓋部４４ａには、放熱フィン７０を電装品箱４４の外部に露出させるための開口部４４ａａが設けられている。そして、電装品箱４４を覆う電装品防炎板４６にも、放熱フィン７０を露出させるための開口部４６ａが設けられている。そのため、放熱フィン７０は、電源用プリント配線基板４５が電装品箱４４の中に収納された状態で、電装品防炎板４６の外に露出している。
【００３５】
（２−１−２）支柱３２
図６は、支柱の構成を示す分解斜視図である。支柱３２は、フレーム６１と前側フレームカバー６２と後側フレームカバー６３と取っ手６４と配線クランプ材６５とハーネス保護スプリング６６とを備えている。フレーム６１は、ネジ（図示せず）によってフレーム取付台５１に取り付けられている。フレーム６１は、上下に長く延びる金属部材であって、金属板を断面Ｃ字型に折り曲げた形状を有している。フレーム６１の全面側には、プラスチック製の前側フレームカバー６２が取り付けられ、フレーム６１の背面側には、プラスチック製の後側フレームカバー６３が取り付けられている。また、取っ手６４がフレーム６１の前側上方に取り付けられており、この取っ手６４を持って電気ストーブ１０を移動できるように構成されている。
【００３６】
上述のように、台座３１の中に電源用プリント配線基板４５が配置されているので、台座３１の電源用プリント配線基板４５から支柱３２を通って本体部２０のヒータ２１などに配線が引回されている。このような台座３１から本体部２０に引回される配線は、ハーネス保護スプリング６６によって保護され、配線クランプ材６５によってフレーム６１に取り付けられる。
【００３７】
（２−２）本体部２０
上述のように、本体部２０は、ヒータ２１と反射板２２とブラケット２３を備えているが、それら以外に、ヒータ２１や反射板２２を収納する本体ケーシング２４と、多数の細い金属棒を組み合わせてできているガード２５、本体ケーシング２４の天板２４ａに形成されている操作部２６などを備えている。ヒータ２１と反射板２２は本体ケーシング２４の内部に収納されている。本体ケーシング２４の背面側には、本体ケーシング２４内の熱を外部に放出するために多数の開口部２４ｂが形成されている。本体ケーシング２４の前面側にガード２５の金属棒の隙間を透して熱が前面側に向けて放射されて、電気ストーブ１０による暖房が行なわれる。この本体部２０は、ブラケット２３によって、反射板２２の方向を上に傾けたり、下に傾けたりするために、支柱３２の延びる方向に対して角度を変更することができる。
【００３８】
（２−２−１）操作部２６
図７は、操作部の構成を説明するための分解斜視図である。樹脂製の天板２４ａの下方には、操作用プリント配線基板８０、ロータリースイッチ８１、補正板８２及び遮蔽板８３などが配置されている。補正板８２の前方には、取付板８４、表示用プリント配線基板８５、ランプハウス８６及び表示銘板８７などが配置されており、それらが本体ケーシング２４の前板２４ｃで囲われている。天板２４ａの上には、操作に関する表示が記載されている操作銘板８８やロータリーツマミ８９などが取り付けられている。ロータリーツマミ８９はロータリースイッチ８１の回動軸に嵌合されている。
【００３９】
操作用プリント配線基板８０やロータリースイッチ８１や表示用プリント配線基板８５は、天板２４ａと補正板８２とで囲まれた空間内に収納されている。さらに、遮蔽板８３や上側の反射板（図示せず）によって、操作用プリント配線基板８０や表示用プリント配線基板８５に対するヒータ２１に起因する熱の影響が防がれている。
【００４０】
操作用プリント配線基板８０には、ロータリースイッチ８１、ＬＥＤランプが実装されている表示用プリント配線基板８５などが電気的に接続されている。操作用プリント配線基板８０を中心に電気的に接続されているこれらの部品は、直流の動作電圧を台座３１の電源用プリント配線基板４５から供給される。そして、ロータリーツマミ８９などによって操作用プリント配線基板８０に指示された指令に応じた動作の一部は、直接操作部２６で実行される。例えば、操作用プリント配線基板８０から表示用プリント配線基板８５に信号が伝達され、表示用プリント配線基板８５がランプを点灯させることにより、表示銘板８７に表示が行なわれる。
【００４１】
（３）電気ストーブ１０の電気系統
図８は、電気系統の接続関係を説明するためのブロック図である。電気系統の接続関係は既に説明されているが、ここでまとめて図８を用いて説明する。図８に示されているように、電気系統は、ベース部３０から本体部２０にまで延びている。ベース部３０には、電源コード３３と電源用プリント配線基板４５とモータ４７が配置されている。一方、本体部２０には、ヒータ２１と操作用プリント配線基板８０と表示用プリント配線基板８５とが配置されている。そして、例えば１００Ｖのヒータ２１の動作電圧は配線７２によって電源用プリント配線基板４５から供給される。また、例えば５Ｖ〜１６Ｖの操作用プリント配線基板８０の直流電圧は、配線７１によって電源用プリント配線基板４５からに供給される。この配線７１には、操作用プリント配線基板８０と電源用プリント配線基板４５との信号伝達のための電線も含まれている。配線７１，７２は、図８に示されているように、支柱３２の内部を通っており、ハーネス保護スプリング６６によって保護され、配線クランプ材６５によってフレーム６１に取り付けられている。
【００４２】
既に説明したように、操作用プリント配線基板８０のある操作部２６は本体部２０の天板２４ａに設けられている。一般に、電気ストーブ１０の高さは、ユーザの腰の高さよりも低いので、ユーザは、天板２４ａの操作部２６を使って上から操作でき、電気ストーブ１０の操作が楽に行える。
【００４３】
操作用プリント配線基板８０に指示された指令に応じた動作の一部は、本体部２０に操作用プリント配線基板８０からベース部３０の台座３１にある電源用プリント配線基板４５に配線７１を通じて伝達される。例えば、電気ストーブ１０の首振りに関する指令は、操作用プリント配線基板８０から配線７１を介して電源用プリント配線基板４５に伝達される。首振り機能によって本体部２０を左右に首を振るように回動させるときには、操作用プリント配線基板８０から伝達される指令に応じて、電源用プリント配線基板４５からモータ４７に駆動電圧と駆動に必要なパルス信号などが出力される。
【００４４】
（４）特徴
（４−１）
図８に示されているように、ヒータ２１（加熱ヒータの例）に動作電圧を供給する電源用プリント配線基板４５（第１電装品の例）が本体部２０とは別体のベース部３０の台座３１の内部に取り付けられている。つまり、電源用プリント配線基板４５は、ヒータ２１のある本体部２０ではなく、ヒータ２１が設けられていないベース部３０に配置されている。このような構成によって、電源用プリント配線基板４５がヒータ２１で発生する熱の影響を受けるのを防ぐことができる。
【００４５】
電源用プリント配線基板４５には放熱のために放熱フィン７０などの重たい部品が多数実装されるので、一般に電源用プリント配線基板４５は重くなる。このような重い電源用プリント配線基板４５（電源基板の例）をベース部３０に配置することで、電源用プリント配線基板４５が錘の役目を果たすことから、本体部２０を支えるために不安定になりがちなベース部３０を電源用プリント配線基板４５の重さで安定させて、従来ベース部３０に取り付けられていた錘用の板金などを削減することができる。支柱３２が台座３１の中心よりも背面側に配置されて、本体部２０と支柱３２の重さが台座３１の中心よりも背面側に掛かるが、重い電源用プリント配線基板４５を台座３１の中心よりも前方に配置していることによって安定が良くなっている。
【００４６】
また、本体部２０では、本体ケーシング２４に放熱用の開口部２４ｂが設けられているが、ヒータ２１が設けられないベース部３０の台座３１にはこのような開口部２４ｂが必要ないので、放熱用の穴の少ないベース部３０に電源用プリント配線基板４５が設けられることで、虫やユーザの溢した水などが電源用プリント配線基板４５の内部にまで浸入するのが防がれており、虫や水などが第１電装品に入ることに起因する故障の発生が抑制されている。
【００４７】
（４−２）
上述の電源用プリント配線基板４５は、ベース部３０の台座３１の内部に配置されている電装品箱４４で囲われている。このように電装品箱４４で電源用プリント配線基板４５を囲うことで、虫や水などがさらに入り難くなり、虫や水などが電源用プリント配線基板４５に入ることに起因する故障を防ぐことができる。
【００４８】
（４−３）
放熱フィン７０（第１電装品の例）は、電源用プリント配線基板４５に取り付けられかつ電源用プリント配線基板４５の放熱を行うために電装品箱４４の外側に露出している。支柱３２は、ベース部３０に取り付けられて本体部２０を支え、放熱フィン７０から放出された熱をベース部３０から外部に導くための中空部分を持っている。この中空部分は、前側フレームカバー６２と後側フレームカバー６３との間に形成されている。前側フレームカバー６２と後側フレームカバー６３の中空部分は、台座３１の台座ケーシング４０の開口部４０ｂから繋がっており、その中空部分の上部はブラケット２３が取り付けられる穴３２ａへと続いている。つまり、前側フレームカバー６２と後側フレームカバー６３の中空部分は、台座３１の開口部４０ｂからブラケット２３を取り付けるための穴３２ａへと抜ける煙突の煙道のように熱を外部へ逃がす役割を果たしている。このように、支柱３２の中空部分を通して電源用プリント配線基板４５の放熱を行うことができるので、放熱フィン７０を小型化して電気ストーブ１０の軽量化が図られている。
【００４９】
（４−４）
上述の支柱３２の中空部分に通じる開口部４０ｂの周囲には、支柱３２の下端部に嵌るリブ４０ｃが設けられている。ベース部３０の台座３１のリブ４０ｃが支柱３２の下端部に嵌ることでリブ４０ｃが支柱３２の下端部でオーバーラップされて、ベース部３０の外から開口部４０ｂに水が侵入し難くなり、電源用プリント配線基板４５の故障を抑制することができる。
【００５０】
（４−５）
電源用プリント配線基板４５や放熱フィン７０は、ベース部３０の台座３１の内部において開口部４０ｂよりも前に配置されている。一方、ベース部３０は、開口部４０ｂから放射状になだらかに傾斜している上面４０ａを有している。そのため、もしベース部３０の台座３１の上面４０ａにユーザが誤って水を溢しても、上面４０ａが放射状になだらかに傾斜しているので、ベース部３０の上面４０ａの上に載った水玉が周囲に流れ落ちる。それにより、上面４０ａの開口部４０ｂの周囲のリブ４０ｃを水玉が表面張力で乗り越えて開口部４０ｂから侵入するのを防ぐことができ、電源用プリント配線基板４５の故障を抑制することができる。
【００５１】
（４−６）
支柱３２は、本体部２０と一緒に回動するようにベース部３０の台座３１に取り付けられている。ベース部３０の台座３１の内部には、電源用プリント配線基板４５に電気的に接続されて支柱３２を回動させるためのモータ４７が配置されている。重たい電源用プリント配線基板４５をベース部３０の台座３１に設けて本体部２０から電源用プリント配線基板４５を取り除くことで、本体部２０を軽くして本体部２０を回動させるモータ４７に掛かる負担を軽減し、モータ４７で発生する音を小さくしている。このような本体部２０の軽量化により、モータ音を抑制して静音化を図っている。
【００５２】
（４−７）
電源用プリント配線基板４５とは別に、操作部２６の操作に応じた制御を行う操作用プリント配線基板８０（第２電装品の例）及び表示用プリント配線基板８５（第２電装品の例）が本体部２０の上部にある操作部２６に設けられている。この操作用プリント配線基板８０及び表示用プリント配線基板８５は、操作部２６の下方の本体部２０の内部に取り付けられていて、本体部２０とは別のベース部３０にある電源用プリント配線基板４５から例えば直流５Ｖの制御電圧を供給されている。この操作用プリント配線基板８０及び表示用プリント配線基板８５は制御のための部品しか実装されておらず、電源供給のための部品が実装されている電源用プリント配線基板４５に比べて軽い。このような制御を行うための軽い操作用プリント配線基板８０及び表示用プリント配線基板８５を本体部２０に設けることで、電気ストーブ１０の据わりを良くしながら電気ストーブ１０の操作性を確保することができる。
【００５３】
（５）変形例
（５−１）変形例１Ａ
上記実施形態では、ベース部３０の台座３１と支柱３２が分離されているものについて説明したが、本願発明は台座と支柱とが一体になっているような電気ストーブにも適用することができる。
【符号の説明】
【００５４】
１０  電気ストーブ
２０  本体部
２１  ヒータ
２６  操作部
３０  ベース部
３１  台座
３２  支柱
４０  台座ケーシング
４０ａ  上面
４０ｂ  開口部
４０ｃ  リブ
４４  電装品箱
４５  電源用プリント配線基板
７０  放熱フィン
８０  操作用プリント配線基板
８５  表示用プリント配線基板
【先行技術文献】
【特許文献】
【００５５】
【特許文献１】特開２０１０−８５０４１号公報
【特許文献２】特開２０１１−３３３０９号公報
【図１】
0005858011.tif 000002
【図２】
0005858011.tif 000003
【図３】
0005858011.tif 000004
【図４】
0005858011.tif 000005
【図５】
0005858011.tif 000006
【図６】
0005858011.tif 000007
【図７】
0005858011.tif 000008
【図８】
0005858011.tif 000009